(57)【特許請求の範囲】
【請求項１】
プラント機器がアラームを出力した時に、前記アラームに対応してプラント機器の操作内容を入力するための操作設定画面を自動表示させる操作設定モニタと前記操作設定モニタ以外のモニタである１個または複数個の状況把握モニタからなる複数のモニタに、前記操作設定画面と前記プラント機器の状況を表示する状況把握画面とを自動表示させるプラント監視装置であって、
前記プラント機器が出力する前記アラームに対応して前記操作設定画面および１個または複数個の前記状況把握画面を、表示させる前記モニタとともに前記アラームごとに登録する画面登録データベースと、
前記プラント機器が前記アラームを出力した時に前記画面登録データベースを検索して、前記アラームに対応する前記操作設定画面を前記操作設定モニタに自動表示させ、前記アラームに対応する前記状況把握画面を前記画面登録データベースに登録された前記状況把握モニタに自動表示させる表示制御部と、を備えるプラント監視装置。
【請求項２】
前記状況把握画面は、監視画面、トレンド画面、ＩＴＶ画面のうちいずれか少なくとも１つを含むことを特徴とする請求項１に記載のプラント監視装置。
【請求項３】
前記操作設定画面と前記状況把握画面の自動表示に合わせて、前記アラームの発生状況または前記操作内容のいずれかまたは両方について音声ガイドを出力する音声出力部を備える請求項１または請求項２に記載のプラント監視装置。
【請求項４】
前記複数の前記モニタとは別に、前記状況把握モニタよりも画面サイズが大きい、前記複数の前記モニタのいずれかに表示されている少なくとも一つの画面を表示する大画面モニタを備えることを特徴とする請求項１ないし請求項３のいずれか一項に記載のプラント監視装置。
【請求項５】
前記操作設定モニタから入力された前記操作内容と前記状況把握モニタに自動表示された状況把握画面の内容とを履歴として記憶する操作履歴データベースを備える請求項１ないし請求項４のいずれか一項に記載のプラント監視装置。
【請求項６】
前記履歴の再生操作が要求されると、発生した前記アラームに対応して記録された前記操作内容と前記状況把握画面の内容とを前記操作履歴データベースから取得し、前記操作設定モニタに自動表示させる請求項５に記載のプラント監視装置。
【請求項７】
前記アラームに対応する前記操作内容を動画ガイドとして出力する動画出力部を備え、
前記画面登録データベースが、前記アラームに対応する前記動画ガイドを前記操作設定画面に表示させるように登録されていることを特徴とする請求項１ないし請求項６のいずれか一項に記載のプラント監視装置。
【発明の詳細な説明】
【技術分野】
【０００１】
本発明は、プラント監視装置に関するものであり、特にプラント機器の状況をモニタに表示させるプラント監視装置に関するものである。
【背景技術】
【０００２】
従来のプラント監視装置は、プラント機器で発生したアラームに対して、その状況を把握する画面である状況把握画面とプラント機器制御操作が行える画面である操作設定画面を、アラームごとに登録された画面登録データベースを検索して対象画面を抽出し１台のモニタに集約して自動表示することで、経験の少ないオペレータでも、適切に状況を把握しながらアラーム解除のプラント機器制御を迅速かつ容易に行なるようにしている。
【０００３】
例えば特許文献１では状況把握画面と操作設定画面とを重ねて自動表示、もしくは並べて自動表示することで1つのモニタ内に自動表示する技術がある。
【先行技術文献】
【特許文献】
【０００４】
【特許文献１】特開２００３−５０６３０号公報
【発明の概要】
【発明が解決しようとする課題】
【０００５】
従来のプラント監視装置は上記のようにアラームに対して、監視画面、トレンド画面、ＩＴＶ画面（Ｉｎｄｕｓｔｒｉａｌ  Ｔｅｌｅｖｉｓｉｏｎ）のような状況把握画面と、操作設定画面を１台のモニタに全て自動表示しているものの、エリアの制約から、画面を切替えて参照したり、画面を拡大して参照したりする必要がある。
【０００６】
プラント監視の現場では監視ミスと操作ミスの両方を最小限に抑える必要がある。その両方のミスをなくすために、プラント監視装置では、アラームごとに対応する状況把握画面と操作設定画面をモニタ上に見やすく自動表示させる必要がある。
【０００７】
特許文献１では、１台のモニタに複数の画面を自動表示する方式が記載されている。しかしこの方式では、モニタが通常のサイズの場合は、複数の画面が小さく表示されて見づらい。大型のモニタは高価であり、プラント監視装置で使用すると、コスト増加要因になる。
【０００８】
この発明は上記のような課題を解決するためになされたものであり、アラームごとに対応する状況把握画面と操作設定画面を複数のモニタ上に見やすく自動表示できるプラント監視装置を提供することを目的とする。
【課題を解決するための手段】
【０００９】
本発明によるプラント監視装置は、プラント機器がアラームを出力した時に、前記アラームに対応してプラント機器の操作内容を入力するための操作設定画面を自動表示させる操作設定モニタと前記操作設定モニタ以外のモニタである１個または複数個の状況把握モニタからなる複数のモニタに、前記操作設定画面と前記プラント機器の状況を表示する状況把握画面とを自動表示させるプラント監視装置であって、前記プラント機器が出力する前記アラームに対応して前記操作設定画面および１個または複数個の前記状況把握画面を、表示させる前記モニタとともに前記アラームごとに登録する画面登録データベースと、前記プラント機器が前記アラームを出力した時に前記画面登録データベースを検索して、前記アラームに対応する前記操作設定画面を前記操作設定モニタに自動表示させ、前記アラームに対応する前記状況把握画面を前記画面登録データベースに登録された前記状況把握モニタに自動表示させる表示制御部と、を備えるものである。
【発明の効果】
【００１０】
本発明のプラント監視装置によれば、アラームごとに対応する状況把握画面と操作設定画面を複数のモニタ上に見やすく自動表示できる。
【図面の簡単な説明】
【００１１】
【図１】この発明の実施の形態１のプラント監視装置のシステム構成を示す図である。
【図２】この発明の実施の形態１のプラント監視装置の構成を示すブロック図である。
【図３】この発明の実施の形態１のプラント監視装置のアラーム発生時における動作のフローチャートである。
【図４】この発明の実施の形態２のプラント監視装置の構成を示すブロック図である。
【図５】この発明の実施の形態２のプラント監視装置のアラーム発生時における動作のフローチャートである。
【図６】この発明の実施の形態３のプラント監視装置の構成を示すブロック図である。
【図７】この発明の実施の形態３のプラント監視装置のアラーム発生時における動作のフローチャートである。
【図８】この発明の実施の形態４のプラント監視装置の構成を示すブロック図である。
【図９】この発明の実施の形態４のプラント監視装置のアラーム発生時における動作のフローチャートである。
【図１０】この発明の実施の形態５のプラント監視装置の構成を示すブロック図である。
【図１１】この発明の実施の形態５のプラント監視装置のアラーム発生時における動作のフローチャートである。
【発明を実施するための形態】
【００１２】
以下、本発明の実施の形態について図面を参照して説明する。なお、各図において同一または相当する部分については同一の符号を付して、その説明を繰り返さない。
【００１３】
実施の形態１．
図１は、この発明の実施の形態１のプラント監視装置２のシステム構成を示す図である。図１に示すように、複数のプラント機器４は、制御バス３を介してプラント監視装置２に接続されている。プラント監視装置２には複数のモニタ１が接続されている。
【００１４】
複数のモニタ１は、プラント機器４の状態を表示する。プラント機器４は、例えば水処理場では、ポンプ、モーター、パイプなどからなる機器である。プラント監視装置２は、プラント機器４の状態を監視、制御する。制御バス３は、プラント機器４とプラント監視装置２との間で双方向に情報、制御指令の伝達を実現する。
【００１５】
この実施の形態では、プラント監視装置２は複数のモニタ１を含んでいないが、複数のモニタを含む構成としてもよい。
【００１６】
図２はこの発明の実施の形態１のプラント監視装置２の詳細構成を示す図である。プラント監視装置２は、複数のモニタ１の表示を制御する表示制御部５、プラント機器４で計測したデータの処理や表示制御部５からの指令を処理するデータ処理部６、プラント機器４から収集したデータを格納するデータ格納部７から構成される。表示制御部５は、画面登録データベース８を有している。また、画面登録データベース８には、図２に示す画面構成９のように、アラームごとに自動表示する画面が、その画面を表示するモニタとともに登録されている。
【００１７】
プラント機器４が異常の発生を検知すると、プラント機器４はその異常に対応するアラームを出力する。プラント監視装置２はプラント機器４から制御バス３を介してアラームを取得する。また、表示制御部５では、制御バス３から取得したアラームをもとに複数のモニタに自動表示する画面を決定する。複数のモニタには、アラーム発生時にプラント機器４の制御操作を行うことのできる操作設定画面が自動表示される操作設定モニタと、操作設定モニタ以外のモニタである状況把握モニタという２種類のモニタがある。状況把握モニタには、アラーム発生時にプラント機器４の現場での異常の発生状況、機器状況等のプラント機器の状況を表示する状況把握画面が自動表示される。
【００１８】
以下の実施の形態では、状況把握モニタとして、３台のモニタ（モニタ１−１〜モニタ１−３）、操作設定モニタとして１台のモニタ（モニタ１−４）を備える例について説明するが、モニタの台数は、操作設定モニタは１台、状況把握モニタは最低1台必要である。また、状況把握画面は、監視画面、トレンド画面、ＩＴＶ画面のうちいずれか少なくとも１つの画面を含む。
【００１９】
ここでいう監視画面とは、プラント機器４の状態を検知する各種センサーから取得したデータ等を表示する画面であり、トレンド画面はプラント機器４の運転状況を示すデータの時間変化をグラフで表示する画面であり、ＩＴＶ画面は部屋内に設置されたカメラで撮影したプラント機器４の映像を表示する画面である。
【００２０】
また、モニタ１−１〜モニタ１−４は、オペレータから見やすい位置に、例えばオペレータから見て左からモニタ１−１〜モニタ１−４の順番などのように所定の位置関係を満足するように、設置される。なお、オペレータとは監視室でプラント機器４の監視とプラント監視装置２の操作を行う人である。
【００２１】
次に、プラント監視装置２のアラーム発生時における動作について図３を用いて説明する
図３はこの発明の実施の形態１のプラント監視装置２のアラーム発生時における動作のフローチャートである。アラームが発生してから複数のモニタに自動表示する際の処理を順に示している。
【００２２】
例えばアラームＡが発生した場合について説明する。異常がプラント機器４で発生すると、その異常に対応したアラームがプラント機器４から出力される。アラームＡが発生すると（図３ステップＳ１）、まず、アラームＡの発生をプラント監視装置２で受信し、アラームＡが自動表示設定されているか否かを表示制御部５は判断する（図２ステップＳ２）。アラームＡが自動表示設定されていない場合、自動表示処理を中止する（図２ステップＳ５）。アラームＡの自動表示設定が確認されると、画面登録データベース８から、アラームＡを検索キーとしてアラームＡに登録されている画面とモニタに関する情報を検索する。
【００２３】
この場合、モニタ１−１に監視画面α１を、モニタ１−２にトレンド画面β１を、モニタ１−３にＩＴＶ画面１を、モニタ１−４に操作設定画面γ１をそれぞれ自動表示する情報を検索し（図２ステップＳ３）、図２に示すように、それぞれモニタ１−１、モニタ１−２、モニタ１−３、モニタ１−４に自動表示する（図２ステップＳ４）。その後、オペレータが操作設定画面γ１でプラント機器４の操作を行ない、アラームＡを解除する。
【００２４】
操作設定画面γ１はアラーム解除のためのプラント機器４の操作を実際に行なうための画面であり、他の監視画面α１、トレンド画面β１、ＩＴＶ画面１で状況を把握しながら、操作設定画面γ1上でプラント機器制御の操作を行なうことにより、アラームＡの解除を行なうことができる。
【００２５】
同様に、アラームＢが発生するとそれに対応する複数の画面が自動で複数のモニタに表示される。アラームＢの自動表示設定が確認されると、画面登録データベース８からアラームＢを検索キーとして、アラームごとの画面構成９からアラームＢに登録されている画面とモニタ、例えば、この場合、モニタ１−１に監視画面α２を、モニタ１−２にトレンド画面β２を、モニタ１−３にＩＴＶ画面２を、モニタ１−４に操作設定画面γ２をそれぞれ表示する情報を検索し、図２に示すように、それぞれモニタ１−１、モニタ１−２、モニタ１−３、モニタ１−４に自動表示される。その後、オペレータが操作設定画面γ２でプラント機器制御の操作を行い、アラームＢを解除する。
【００２６】
なお、監視制御装置２は、操作設定画面、監視画面、トレンド画面、ＩＴＶ画面に限ることなく、アラームに対応して登録されている画面を適切に自動表示できる。
【００２７】
また、状況把握画面の数の方が状況把握モニタの数よりも大きい場合は、少なくとも１つの状況把握モニタ内に複数の状況把握画面を自動表示することになる。
【００２８】
以上のように実施の形態１のプラント監視装置２は、アラーム発生時にアラームに対応する状況把握画面と操作設定画面を複数のモニタ上に見やすく自動表示することができる。
【００２９】
また、画面が複数のモニタに分かれて自動表示されるために、オペレータにとっては状況を把握しやすいので、オペレータはアラームに対して適切に状況を把握しながらアラーム解除のプラント機器制御の操作を迅速かつ容易に行なうことができ、監視ミスと操作ミスの両方を減らすことができる。
【００３０】
実施の形態２．
図４はこの発明の実施の形態２のプラント監視装置２の構成を示すブロック図である。実施の形態１では、プラント機器４から送信されたアラームに対して、プラント監視装置２の画面登録データベース８からアラーム内容に対応した状況把握画面と操作設定画面を複数のモニタに自動表示する場合について述べたが、実施の形態２のプラント監視装置２は、実施の形態１のプラント監視装置２の構成に加え、音声出力部１０をさらに備えることで、プラント機器４で生じた異常の発生状況または操作内容のいずれかについてモニタ１に自動表示するとともに音声ガイドの出力により、オペレータに知らせる構成である。
【００３１】
図４では、表示制御部５に音声出力部１０が接続され、プラント機器４で生じた異常の発生状況または操作内容のいずれかまたは両方の音声ガイドを流すようにしている、また、アラームごとの画面構成９にアラームに対する音声ガイドのデータを追加し、自動表示する画面とモニタ１のデータ取得と合わせて検索できるようにしている。
【００３２】
以下、アラーム発生時における実施の形態２のプラント監視装置２の動作について図４および図５を用いて説明する。
【００３３】
図５はこの発明の実施の形態２のプラント監視装置２のアラーム発生時における動作のフローチャートである。
【００３４】
例えばアラームＡが発生した場合について説明する。アラームＡが発生すると（図５ステップＥ１）、まず、アラームＡの発生をプラント監視装置２で受信し、プラント監視装置２はアラームＡが自動表示設定されているか否かを判断する（図５ステップＥ２）。アラームＡが自動表示設定されていない場合、自動表示処理を中止する（図５ステップＥ６）。アラームＡの自動表示設定が確認されると、画面登録データベース８からアラームＡを検索キーとしてアラームＡに登録されている画面を検索し、モニタ１に自動表示する。
【００３５】
この場合、プラント監視装置２は、モニタ１−１に監視画面α１を自動表示し、モニタ１−２にトレンド画面β１を自動表示し、モニタ１−３にＩＴＶ画面１を自動表示し、モニタ１−４に操作設定画面γ１を自動表示する情報を音声ガイド１と共に検索し（図５ステップＥ３）、図４に示すように、それぞれモニタ１−１、モニタ１−２、モニタ１−３、モニタ１−４に自動表示する（図５ステップＥ４）。その後、プラント監視装置２はプラント機器４で生じた異常の発生状況または操作内容のいずれかの音声ガイド１を音声出力部１０が出力する（図５ステップＥ５）。その際、モニタ１−１の監視画面上にはアラームの発生位置、モニタ１−２にはトレンド画面でのアラームとなった箇所、モニタ１−３にはＩＴＶ画面上でアラーム発生箇所、モニタ１−４の操作設定画面上での操作内容を音声ガイドにより説明する。
【００３６】
また、各モニタには音声の再生機能が装備され、音声の再生操作を行うことにより、各モニタでの音声ガイドを再度聞くことができる。プラント監視装置２はアラームＢが発生した場合にも、上記と同様の処理を行う。
【００３７】
以上のように実施の形態２のプラント監視装置２では、プラント機器４で生じた異常の発生状況または操作内容のいずれかまたは両方を、音声ガイドの出力により、オペレータに知らせる構成としたので、熟練していないオペレータが状況を把握する時間を短縮することができる。
【００３８】
また、複数のモニタの自動表示に加え音声のガイドが併用されているので、異常があった場合にアラームに加え音声により異常が発生したことが知らされるので、オペレータはより確実に変化に気づくことができる。
【００３９】
実施の形態３．
実施の形態２では、状況把握画面と操作設定画面を複数のモニタに分けて自動表示し、さらにアラームが発生した機器、現象、及び、自動表示した画面と参照する箇所を、音声ガイドの出力により、オペレータに知らせる構成としたが、実施の形態３では、実施の形態２の構成に加え、オペレータおよび監視者が共有して見ることができる大画面モニタ１１にも画面を表示する構成とした。大画面モニタ１１は、状況把握モニタよりも画面サイズが大きく、操作設定モニタおよび前記状況把握モニタに表示されている操作設定画面および状況把握画面の中の少なくとも一つの画面がオペレータの操作により表示される。
【００４０】
図６はこの発明の実施の形態３におけるプラント監視装置２の詳細構成を示す図である。大画面モニタ１１は、設置されている場所にいる人すべてが見ることができる大型のモニタであり、監視室または現場に設置されるモニタである。
【００４１】
監視者は大画面モニタ１１によりオペレータが監視室で見ている状況把握画面または操作設定画面を見ることができる。
【００４２】
次に、実施の形態３のプラント監視装置２のアラーム発生時における動作について図６および図７を用いて説明する。
【００４３】
図７はアラーム発生時におけるプラント監視装置２の動作のフローチャートを示す図である。
【００４４】
例えばアラームＡが発生した場合について説明する。アラームＡが発生すると（図７ステップＴ１）、まず、アラームＡの発生をプラント監視装置２で受信し、アラームＡが自動表示設定されているか否かを判断する（図７ステップＴ２）。アラームＡが自動表示設定されていない場合、自動表示処理を中止する（図７ステップＴ７）。アラームＡの自動表示設定が確認されると、画面登録データベース８からアラームＡを検索キーとして、アラームごとの画面構成９からアラームＡに登録されている画面とモニタを検索する。この場合、モニタ１−１に監視画面α１を表示し、モニタ１−２にトレンド画面β１を表示し、モニタ１−３にＩＴＶ画面１を表示し、モニタ１−４に操作設定画面γ１を表示する情報を音声ガイド１と共に検索し（図７ステップＴ３）、図６に示すように、それぞれモニタ１−１、モニタ１−２、モニタ１−３、モニタ１−４に自動表示する（図７ステップＴ４）。その後、アラームが発生した機器、現象、及び、モニタ１−１の監視画面上でのアラーム発生位置、モニタ１−２のトレンド画面でのアラームとなった箇所、モニタ１−３のＩＴＶ画面上でアラーム発生時点の映像、モニタ１−４の操作設定画面上での操作箇所を説明する音声ガイド１を音声出力部１０が出力する（図７ステップＴ５）。オペレータは打合せや経過監視に使用する画面をモニタ１−１〜１−４から指定することにより、大画面モニタ１１に指定した複数の状況把握画面として、例えば監視画面α１〜ＩＴＶ画面１を表示することができる（図７ステップＴ６）。プラント監視装置２はアラームＢが発生した場合にも、上記と同様の処理を行う。
【００４５】
なお、図６を用いて大画面モニタ１１が１台の例を説明したが、本実施の形態では、大画面モニタ１１を複数台設置可能であり、また、建屋が異なる場所に設置することも可能である。
【００４６】
以上のように、実施の形態３のプラント監視装置２は実施の形態２の構成に加え大画面モニタ１１を備える構成としたので、オペレータが見ている画面を、大画面モニタを見ることが出来る場所にいる複数の監視員も見ることができ、監視情報を共有することが可能となる。
【００４７】
さらに、大画面モニタ１１で自動表示した内容を見ながら処置方法の打合せや処置後の経過の監視をスムーズに行うことができる。
【００４８】
実施の形態４．
実施の形態３では、状況把握画面と操作設定画面を複数のモニタに分けて自動表示するとともに、アラームが発生した機器、現象、自動表示した画面と参照する箇所を音声ガイドによりオペレータに知らせ、さらに、複数のモニタ１−１〜１−４に表示中の画面を大画面モニタ１１に表示する場合について述べたが、本発明の実施の形態４では、実施の形態３の構成に加え、操作履歴記録部１３、操作履歴データベース１４を装備し、操作内容と操作時の状況を保存できるようにしている。また、操作履歴再生部１２を装備し、操作内容と操作時点の状況の再生ができるようにしている。
【００４９】
次に、実施の形態４のプラント監視装置２のアラーム発生時における動作について図８および図９を用いて説明する。
【００５０】
図９はアラーム発生時におけるプラント監視装置２の動作のフローチャートを示す図である。
【００５１】
例えばアラームＡが発生した場合について説明する。アラームＡが発生すると（図９ステップＶ１）、まず、アラームＡの発生をプラント監視装置２で受信し、アラームＡが自動表示設定されているか否かを判断する（図９ステップＶ２）。アラームＡが自動表示設定されていない場合、自動表示処理を中止する（図９ステップＶ１３）。アラームＡの自動表示設定が確認されると、画面登録データベース８からアラームＡを検索キーとして、アラームＡに登録されている画面とモニタを検索する。
【００５２】
この場合、モニタ１−１に監視画面α１を表示し、モニタ１−２にトレンド画面β１を表示し、モニタ１−３にＩＴＶ画面１を表示し、モニタ１−４に操作設定画面γ１を表示する情報を音声ガイド１と共に検索し（図９ステップＶ３）、図８に示すように、それぞれモニタ１−１、モニタ１−２、モニタ１−３、モニタ１−４に自動表示され、音声出力部１０がモニタに表示した画面を説明する音声ガイド１を出力する（図９ステップＶ４）。その後、操作履歴記録部１３は操作保存モードを開始し（図９ステップＶ５）、発生したアラームに対処のため、オペレータが画面操作を行い、操作した内容を操作履歴データベース１４に記録する（図９ステップＶ６）。操作履歴データベース１４への記録においては、操作設定画面から入力した操作内容に加え、操作した時にモニタ１−１、モニタ１−２、モニタ１−３に表示されていた各状況把握画面の内容をキャプチャーし、保存する。オペレータから操作設定画面から操作記録の保存終了操作を行った時点で操作保存モードを終了する（図９ステップＶ７）。それまでの操作内容と操作した時の画面のキャプチャーは操作ごとに操作履歴データベース１４に、アラームと対応させて保存される。
【００５３】
操作履歴データベース１４に保存されたアラームと同様のアラームが発生した場合（図９ステップＶ８）、オペレータにより手動で操作履歴表示の指示を行うことで（図９ステップＶ９）、発生したアラームに対して過去操作した内容を操作設定画面の別ウィンドウ上に再生表示する。
【００５４】
オペレータによる操作履歴表示の指示は、操作履歴再生部１２が操作履歴データベース１４を、アラームを検索キーとして検索し、検索された履歴を操作設定モニタ上に一覧表示する。オペレータは自動表示された一覧画面から履歴を選択して再生操作を行うことで、操作履歴再生部１２が操作履歴データベース１４から操作設定モニタに操作設定画面で操作した内容と、その時のモニタ１−１、モニタ１−２、モニタ１−３に自動表示された各状況把握画面の状態を操作ごとに切替えて自動表示する（図９ステップＶ１０）。これにより、過去に発生した同じアラームに対してどのような操作を行い、どのような状態となったかをオペレータが確認できる。確認が終了すれば、操作履歴表示の終了操作を行うことで（図９ステップＶ１１）、再生操作前の画面に切替わる（図９ステップＶ１２）。プラント監視装置２はアラームＢが発生した場合にも、上記と同様の処理を行う。
【００５５】
本発明の実施の形態４では、実施の形態３の構成に加え、操作履歴データベース１４を備える構成としたため、オペレータが操作設定画面から操作した内容を操作した時の状況把握画面の内容と共に履歴として記憶しておき、履歴の再生操作を行うことにより、プラント機器４で発生したアラームを発生させた現象に対して過去に処置した操作内容と操作時の状況を操作設定モニタから参照することができる。
【００５６】
さらに、オペレータが履歴の操作内容と操作時の状況を参照することができるようにしたので、同じ処置を行う場合に、操作内容を事前に確認でき、的確でミスのない処置作業を行うことができる。また、オペレータをアラームに対する処置方針の検討に関して支援できる点で処置作業の効率化につながる。
【００５７】
実施の形態５．
本発明の実施の形態４では、操作設定画面から操作した内容を操作した時の状況把握画面の内容と共に履歴として記憶しておき、オペレータが履歴の再生操作を行うことにより、プラント機器４で発生したアラームを発生させた現象に対して過去の処置した操作内容と操作時の状況を参照する場合について述べたが、実施の形態５では、実施の形態４の構成に加え、操作設定画面からの操作内容を示す動画を動画ガイドデータとして保持する動画出力部１５が表示制御部５と接続される構成となっている。
【００５８】
次に、実施の形態５のプラント監視装置２のアラーム発生時における動作について図１０および図１１を用いて説明する。
【００５９】
図１１はアラーム発生時におけるプラント監視装置２の動作のフローチャートを示す図である。
【００６０】
まず、プラント機器４において、アラームＡが発生した場合（図１１ステップＷ１）、まず、アラームＡの発生をプラント監視装置２で受信し、アラームＡが自動表示設定されているか否かを判断する（図１１ステップＷ２）。アラームＡが自動表示設定されていない場合、自動表示処理を中止する（図１１ステップＷ７）。アラームＡの自動表示設定が確認されると、画面登録データベース８からアラームＡを検索キーとして、アラームごとの画面構成９からアラームＡに登録されている画面、モニタ、音声ガイド１と共に動画１を検索し（図１１ステップＷ３）、図１０に示すように、それぞれモニタ１−１、モニタ１−２、モニタ１−３、モニタ１−４に自動表示される（図１１ステップＷ４）。
【００６１】
この場合、アラームＡが発生すると、モニタ１−１に監視画面α１を表示し、モニタ１−２にトレンド画面β１を表示し、モニタ１−３にＩＴＶ画面１を表示し、モニタ１−４に操作設定画面γ１を表示し、音声ガイド1が出力される。その後、オペレータから動画の表示指示があった場合（図１１ステップＷ５）、図１０の動画出力部１５がステップＷ３で取得した動画１の動画ガイドを操作設定モニタ上の操作設定画面と別ウィンドウに再生表示する（図１１ステップＷ６）。なお、動画ガイドとは、操作方法を説明する動画である。プラント監視装置２はアラームＢが発生した場合にも、上記と同様の処理を行う。
【００６２】
本発明の実施の形態５では、実施の形態４の構成に加え、アラームに対して操作設定画面からの操作方法を動画ガイドによりオペレータに説明する動画出力部１５を備えるようにした。このような構成としたことで、オペレータはアラームに対応する操作設定画面の操作方法を動画で確認できるので、アラームに対して迅速に処置できる。また、アラームに対する処置の統一化が容易となり、熟練していないオペレータの作業効率のアップにつながる。
【符号の説明】
【００６３】
１  モニタ
２  プラント監視装置
４  プラント機器
５  表示制御部
８  画面登録データベース
１０  音声出力部
１１  大画面モニタ
１３  操作履歴記録部
１４  操作履歴データベース
１５  動画出力部
【図１】
0005734238.tif 000002
【図２】
0005734238.tif 000003
【図３】
0005734238.tif 000004
【図４】
0005734238.tif 000005
【図５】
0005734238.tif 000006
【図６】
0005734238.tif 000007
【図７】
0005734238.tif 000008
【図８】
0005734238.tif 000009
【図９】
0005734238.tif 000010
【図１０】
0005734238.tif 000011
【図１１】
0005734238.tif 000012